(57)【要約】   【課題】  ユーザがメール受信ボックスに関して何らかの操作、たとえば、メールの閲覧等を行っている場合でもメールを受信できる。  【解決手段】  携帯電話機１は、ＲＯＭ（Flash ROM）２４に設けられたメール送受信制御手段が受信したメールを格納するメール受信ボックスおよびメール送受信手段が送信したメールを格納するメール送信ボックスと、たとえばＲＡＭ２９に設けられた受信したメールを一時的に記憶可能なテンポラリエリアとを備える。制御部２２が、ユーザがメールに関する所定の操作中に、メールを受信した場合は、メール受信ボックスに代えて、テンポラリエリアに、受信メールを一時的に記憶する。【選択図】  図２
2005099896.tif 000002
【特許請求の範囲】
【請求項１】
メール送受信を制御するメール送受信制御手段と、
メール送受信制御手段が受信したメールを格納するメール受信ボックスと、
メール送受信手段が送信したメールを格納するメール送信ボックスとを備えた携帯電話機であって、
受信したメールを一時的に記憶可能なテンポラリ記憶手段を備え、
前記メール送受信制御手段が、ユーザがメールに関する所定の操作中に、メールを受信した場合は、前記メール受信ボックスに代えて、前記テンポラリ記憶手段に、受信メールを一時的に記憶するように構成されたことを特徴とする携帯電話機。
【請求項２】
前記メール送受信手段が、ユーザがメールに関する操作を指示した際に、テンポラリ記憶手段に一時的に記憶した受信メールを、前記メール受信ボックスに移動させることを特徴とする請求項１に記載の携帯電話機。
【請求項３】
前記メール送受信手段が、受信ボックスに関するユーザの指示があった場合に、メールフラグをセットし、かつ、メールを受信した場合に、メールフラグを参照して、メールフラグがセットされている場合に、前記テンポラリ記憶手段に、メールを一時的に記憶することを特徴とする請求項１または２に記載の携帯電話機。
【請求項４】
前記メール送受信手段が、受信ボックス中のメールの閲覧、削除、および／または、メールの保護の是非を示すために受信ボックス中のメールに付加する保護フラグの設定或いは解除に関するユーザの指示があった場合に、メールフラグをセットし、かつ、メールを受信した場合に、メールフラグを参照して、メールフラグがセットされている場合に、前記テンポラリ記憶手段に、メールを一時的に記憶することを特徴とする請求項３に記載の携帯電話機。
【請求項５】
前記メール送受信手段が、前記メールフラグがセットされていない場合に、前記受信ボックス中、必要な場合に、削除対象メールを検索して、検索されたメールを削除して、受信したメールを、受信ボックスに記憶することを特徴とする請求項３または４に記載の携帯電話機。
【請求項６】
前記メール送受信手段が、メール作成時に、テンポラリ記憶手段が空であれば、当該テンポラリ記憶手段に、作成されたメールを一時的に記憶した上で、当該一時的に記憶されたメールを送信し、テンポラリ記憶手段が空でないときには、テンポラリ記憶手段に一時的に記憶されたメールを、前記受信ボックスに移動させた上で、作成されたメールを、当該テンポラリ記憶手段に一時的に記憶し、当該一時的に記憶されたメールを送信することを特徴とする請求項１ないし５の何れか一項に記載の携帯電話機。
【発明の詳細な説明】
【技術分野】
【０００１】
本発明は、携帯電話機に関し、より詳細には、メール送受信機能を備えた携帯電話機に関する。  
【背景技術】
【０００２】
携帯電話機においては、メール機能が付加され、ユーザは所望の文書を、所望のメールアドレス宛に送信し、また、画像などの所望のファイルをメールに添付することもできる。携帯電話機においては、メモリサイズや処理能力に制限があるため、メールの機能にも制限があった。たとえば、特許文献１には、携帯電話機における添付ファイルの作成機能を考慮して、予めファイル添付可能なデータを保持しておき、保持されたデータをメールを添付することができる携帯電話機が開示されている。
【特許文献１】特開２０００−９２１１５号公報
【発明の開示】
【発明が解決しようとする課題】
【０００３】
また、従来の携帯電話機においては、メール受信ボックスのサイズ（容量）にも制限があるため、受信したメールの保存時に、メール受信ボックスに記憶されていた何れかのメールを押し出す形で削除する（押し出し削除する）場合がある。たとえば、メールの受信時に、ユーザがメール受信ボックス中のメールを閲覧中、そのメールを保存中、或いは、メール受信ボックス中のメールの削除（全件削除）中だとすると、閲覧中或いは保存中のメールが押し出し削除され、或いは、受信したメールが削除されるという矛盾が生じ得る。このような矛盾を回避するため、従来の携帯電話では、ユーザがメール受信ボックスに関して何らかの操作を行っている場合には、メールを受信しない構成となっている。
【０００４】
本発明は、ユーザがメール受信ボックスに関して何らかの操作、たとえば、メールの閲覧等を行っている場合でもメール受信が可能な携帯電話機を提供することを目的とする。
【課題を解決するための手段】
【０００５】
本発明の目的は、メール送受信を制御するメール送受信制御手段と、メール送受信制御手段が受信したメールを格納するメール受信ボックスと、メール送受信手段が送信したメールを格納するメール送信ボックスとを備えた携帯電話機であって、受信したメールを一時的に記憶可能なテンポラリ記憶手段を備え、前記メール送受信制御手段が、ユーザがメールに関する所定の操作中に、メールを受信した場合は、前記メール受信ボックスに代えて、前記テンポラリ記憶手段に、受信メールを一時的に記憶するように構成されたことを特徴とする携帯電話機により達成される。
【０００６】
本発明によれば、ユーザがメール受信ボックスに関して一定の操作を行っている場合には、別途設けられたテンポラリ記憶手段にメールが一時的に記憶されるため、このような場合であってもメールを受信することが可能となる。
【０００７】
好ましい実施態様においては、前記メール送受信手段が、ユーザがメールに関する操作を指示した際に、テンポラリ記憶手段に一時的に記憶した受信メールを、前記メール受信ボックスに移動させる。たとえば、テンポラリ記憶手段に一時的に受信メールが記憶された後、ユーザにより、メールの閲覧、作成などを行うための指示が与えられると、メールがテンポラリ記憶手段からメール受信ボックスに移動される。
【０００８】
別の好ましい実施態様においては、前記メール送受信手段が、受信ボックスに関するユーザの指示があった場合に、メールフラグをセットし、かつ、メールを受信した場合に、メールフラグを参照して、メールフラグがセットされている場合に、前記テンポラリ記憶手段に、メールを一時的に記憶する。
【０００９】
或いは、メール送受信手段は、受信ボックス中のメールの閲覧、削除、および／または、メールの保護の是非を示すために受信ボックス中のメールに付加する保護フラグの設定或いは解除に関するユーザの指示があった場合に、メールフラグをセットし、かつ、メールを受信した場合に、メールフラグを参照して、メールフラグがセットされている場合に、前記テンポラリ記憶手段に、メールを一時的に記憶してもよい。
【００１０】
また、別の好ましい実施態様においては、メール送受信手段が、前記メールフラグがセットされていない場合に、前記受信ボックス中、必要な場合に、削除対象メールを検索して、検索されたメールを削除して、受信したメールを、受信ボックスに記憶する。
【００１１】
さらに、前記メール送受信手段が、メール作成時に、テンポラリ記憶手段が空であれば、当該テンポラリ記憶手段に、作成されたメールを一時的に記憶した上で、当該一時的に記憶されたメールを送信し、テンポラリ記憶手段が空でないときには、テンポラリ記憶手段に一時的に記憶されたメールを、前記受信ボックスに移動させた上で、作成されたメールを、当該テンポラリ記憶手段に一時的に記憶し、当該一時的に記憶されたメールを送信するように構成されていてもよい。
【発明の効果】
【００１２】
本発明によれば、ユーザがメール受信ボックスに関して何らかの操作、たとえば、メールの閲覧等を行っている場合でもメール受信が可能な携帯電話機を提供することが可能となる。
【発明を実施するための最良の形態】
【００１３】
以下、添付図面を参照して、本発明の実施の形態について説明する。図１（ａ）、（ｂ）は、本実施の形態にかかる携帯電話機１の外観図（開いた状態の正面図および背面図）である。本実施の形態にかかる携帯電話機１は、蓋部と本体部とからなる二つ折り構造である。アンテナ１１は、蓋部の背面に設けられており、伸縮自在となっている。スピーカ１２は、蓋部の前面側に設けられており、音声を出力する。表示部（メイン表示部１３）は、１２０ドット（幅）×１６０ドット（高さ）のカラー液晶デバイスで構成されている。表示部１３には、写真つきメールの写真と本文とを同時に表示可能なＱＶＧＡクラスの解像度を備えている。
【００１４】
キー操作部１４は、本体部の前面に設けられており、各種機能キー（メールキー１４１、アドレスキー１４２、ファンクションキー１４３）、テンキー１４４、シャッターキー１４５などからなる。メールキー１４１は、メール機能を起動し、メールメニューを表示するためのものである。アドレスキー１４２は、送信先のメールアドレスを選択する際に用いるアドレス帳を開くためのものである。ファンクションキー１４３は、動画付きメールの作成時、或いは、動画付きメールの確認時、動画の再生や一時停止などを指示するためのものである。テンキー１４４は、電話番号や文字の入力の際に使用する。シャッターキー１４５は、撮像モード時において、所定秒（約２秒）の押圧維持検出で、動画撮影を開始する。
マイク１５は、本体部の下部に設けられており、音声を入力する。
【００１５】
サブ表示部１６は、蓋部の背面に設けられている。また、背面には、メール等の着信の際に、発光するＬＥＤ１７が配置されている。撮像レンズ１８は、蓋部２の背面、上記サブ表示部１６の下部に設けられている。撮像レンズ１８により撮影され取り込まれたデータは、動画撮影が終了するまで、若しくは、所定容量（最大１００Ｋバイト）を超えるまで、たとえばＲＡＭ２９（図２参照）に設けられた撮像データバッファ領域１９５に蓄積される。そして、所定容量までデータが蓄積されたか、若しくは、上記押圧維持が解除されたことを検出して圧縮ファイル化され、画像メモリ２３（図２参照）に格納される。
【００１６】
報知スピーカ１９は、着信などを報知するものであり、蓋部を本体部に閉じた状態でも報知音が聞こえるように、本体部の裏面に配置されている。
【００１７】
図２は、携帯電話機１の構成を示すブロックダイヤグラムである。無線送信部２０は、無線によりアンテナ１１を介して音声やデータ（メールデータ）を送受し変調／復調する。信号処理部２１は、無線送受信部２０で受信した音声やデータ（メールデータ）を復調し、或いは、無線送受信部２０へ送信するための音声やデータを変調するなど無線通信に必要な処理を実行する。制御部２２は、各種動作および全体の動作を制御する。
【００１８】
画像メモリ２３は、撮像部（撮像レンズ１８、撮像モジュール１８１、ＤＳＰ１８２）で撮像され、画像処理プログラム２４１３に格納されたプログラムにより圧縮符号化された画像ファイルや、ＷＷＷ５を介してダウンロードした画像ファイルを格納するためのメモリである。ＲＯＭ２４は、書き換え可能なＦｌａｓｈ  ＲＯＭで構成され、本発明の特徴となる、後述する各種プログラムを格納する。
【００１９】
ドライバ２５は、表示部１３の表示領域に相当するバッファを備え、表示部１３を駆動させる。ドライバ２６は、サブ表示部１６を駆動させる。加入者情報記憶部２７は、本携帯電話機１を呼び出すための電話番号や、操作者（加入者）のＩＤなどプロフィールデータを格納する。ＲＯＭ２８は、制御部２２を制御する各種プログラムなどを格納する。ＲＡＭ２９は、無線通信端末として必要なデータを格納するとともに、メールデータも格納記憶する。特に、ＲＡＭ２９には、撮影モードにおいて、撮影中の動画を一度バッファリングするための記憶領域が設けられる。
【００２０】
音声信号処理部２００は、マイク１５から入力された音声信号を符号化処理したり、無線信号処理部２１から出力された信号に基づいて復号化してスピーカ１２を駆動させ、音声を出力する。撮像モジュール１８１は、ＣＣＤ若しくはＣＭＯＳで構成され、カラー画像を取り込む。ＤＳＰ１８２は、撮像モジュール１８１にて取り込まれた画像を符号化処理する。報知デバイス１９２は、報音スピーカ１９、バイブレータ１９１、ＬＥＤ１７１を駆動するためのドライバである。
【００２１】
本実施の形態において、ＲＯＭ（Ｆｌａｓｈ  ＲＯＭ）２４に、後述するアドレス帳（個人アドレス帳）が記憶される。また、制御部２２が、判断手段、画像生成手段、フラグ制御手段として機能し、無線信号処理部２１および無線送受信部２０が、通信手段として機能することができる。
【００２２】
このように構成された携帯電話機の動作において、以下、フローチャートを参照して説明する。図３に示すように、この携帯電話機１において、電源が投入されるとイニシャライズ処理が実行される（ステップ３０１）。次いで、メイン表示部１３に、ＲＯＭ（Ｆｌａｓｈ  ＲＯＭ）２４に設けられた待受画面エリアの内容を表示する（ステップ３０２）。
【００２３】
ここで、ユーザによるオフフック操作があると（ステップ３０３でイエス(Yes)）、メイン表示部１３に、ユーザに番号入力を求める画面（番号入力画面）が表示される（ステップ３０４）。ユーザが番号を入力すると、入力された番号が、メイン表示部１３に表示され（ステップ３０５）、発信ボタンがオンされると、当該番号に発信され（ステップ３０６）、メイン表示部１３に発信中画面が表示され、呼出中であることが報知される（ステップ３０７、３０８）。相手の電話機に接続すると（ステップ３０９でイエス(Yes)）、通話処理が実行される（ステップ３１０）。これにより、ユーザは、所望の相手と通話することができる。ユーザによるオンフック操作があると（ステップ３１１でイエス(Yes)）、終話処理が実行される（ステップ３１２）。
【００２４】
オフフック操作ではない場合（ステップ３０３でノー(No)）には、図４に示すように、メールスイッチがオンされたか否かが判断される（ステップ４０１）。このステップでノー(No)と判断された場合には、図３のステップ３０３に戻る。その一方、ステップ４０１でイエス(Yes)と判断された場合には、メールフラグ「MAIL
F」に「１」をセットする（ステップ４０２）。次いで、ＲＡＭ２９中のメール一時記憶用のテンポラリエリアが「空」であるか否かが判断される（ステップ４０３）。ステップ４０３でイエス(Yes)と判断された場合には、制御部２２は、メイン表示部１３に、メール処理リストを表示する（ステップ４０４）。メール処理リストには、メールに関する種々の処理項目、たとえば、「メール閲覧」、「新規作成」、「削除」などが列挙される。
【００２５】
制御部２２は、リストにおいて、先頭位置の項目にフォーカスする（ステップ４０５）。ここで、「フォーカスする」とは、パーソナルコンピュータの表示装置の画面上におけるカーソルを位置させることに相当する。たとえば、「電話をかける」という表示の色彩を反転させて、白抜きに表示させる。
【００２６】
カーソルスイッチがオンされると（ステップ４０６でイエス(Yes)）、フォーカス位置が移動され、他の項目がフォーカスされる（ステップ４０７）。「ＯＫ」スイッチがオンされたときに（ステップ４０８でイエス(Yes)）、フォーカス位置が「新規作成」であった場合（ステップ４０９でイエス(Yes)）、メール作成処理が実行される（ステップ４１０）。メール作成処理においては、ユーザはキー入力部１４を操作して、所望の宛先（メールアドレス）、件名および本文を入力する。これに応答して、入力された宛先に送信されるべきメールが作成される。送信スイッチがオンされると（ステップ４１１でイエス(Yes)）、メール送信処理が実行される（ステップ４１２）。送信処理においては、送信中である表示がメイン表示部１３に表示される（ステップ４１３）。メール送信が終了すると（ステップ４１４でイエス(Yes)）、送信されたメールが、ＲＯＭ（Ｆｌａｓｈ  ＲＯＭ）２４に設けられた送信ボックスにストアされる（ステップ４１５）。「ＯＫ」スイッチの代わりに「クリア」スイッチがオンされると（ステップ４１６でイエス(Yes)）、メールフラグ「MAIL
F」が「０」にリセットされる（ステップ４１７）。
【００２７】
テンポラリエリアが「空」でない場合（図４のステップ４０３でノー(No)）には、図５に示すように、ＲＯＭ（Ｆｌａｓｈ  ＲＯＭ）２４に設けられた受信ボックスが満杯の状態、つまり、受信ボックス中に所定量のメールが収容されている場合には（ステップ５０１でイエス(Yes)）、制御部２２は削除対象となるメールを検索する（ステップ５０２）。ここでは、ＦＩＦＯ（First
In First Out）で削除対象となるメールを見出せばよい。検索されたメールに保護フラグが「オン」状態で付されていた場合には（ステップ５０３でイエス(Yes)）、別の削除対象のメールがあるかどうかが判断される（ステップ５０４）。別のメールがあれば（ステップ５０４でノー(No)）、再度、メール検索が実行される。ステップ５０４でイエス(Yes)であれば、ステップ４０４に戻る。
【００２８】
検索により見出されたメールの保護フラグがオフであれば（ステップ５０３でノー(No)）、制御部２２は、検索メールを押し出して削除する（ステップ５０５）。次いで、制御部２２は、テンポラリエリアのメールを受信ボックスに移動する（ステップ５０６）。このような処理が、テンポラリエリアにメールがなくなるまで繰り返される（ステップ５０７）。テンポラリエリアに一時的に記憶されたメールがなくなった場合には（ステップ５０７でイエス(Yes)）、図４のステップ４０４に戻る。
【００２９】
次に、ステップ４０９において、フォーカス位置が、他の項目であった場合（ステップ４０９でノー(No)）について、図６を参照して説明する。フォーカス位置が「受信ボックス」であった場合（ステップ６０１でイエス(Yes)）には、制御部２２は、メールフラグ「MAIL
F」を「１」にセットして、後に詳述する受信ボックス処理を実行する（ステップ６０３）。受信ボックス処理が終了すると、メールフラグ「MAIL F」が「０」にリセットされ（ステップ６０４）、図４のステップ４０４に戻る。
【００３０】
その一方、フォーカス位置が「送信ボックス」であった場合（ステップ６０５でイエス(Yes)）には、送信ボックス処理が実行され（ステップ６０６）、その後、図４のステップ４０４に戻る。フォーカス位置がそれ以外であった場合（ステップ６０５でノー(No)）には、フォーカス位置に応じた他のメール処理が実行され（ステップ６０７）、図４のステップ４０４に戻る。なお、送信ボックス処理には、送信されたメールを送信ボックスに移動させる処理、必要に応じて、送信ボックスに記憶されたメールを削除（押出し削除）して、今回送信したメールを記憶させるためのエリアを作成する処理などが含まれる。
【００３１】
次に、図７を参照して、メール着信検知の際に実行される処理について説明する。図７に示す処理は、他の処理が実行されている際でも実行される、いわゆる割り込み処理である。たとえば、ユーザが、メールに関する操作を行っているとき（メール送受信、メールの閲覧など）にも実行され得る。
【００３２】
メール着信が検知されると、制御部はメールフラグ「MAIL F」が「０」であるか否かを判断する（ステップ７０１）。本実施の形態に示すように、メールフラグ「MAIL
F」は、図４および図６に示すように、ユーザの操作により、携帯電話機において所定のメールに関する処理が実行されているときに、「１」にセットされる。
【００３３】
メールフラグ「MAIL F」が「０」の場合（ステップ７０１でイエス(Yes)）には、受信ボックスが満杯であるか否かが判断される（ステップ７０２）。ステップ７０２〜７０６は、図５のステップ５０１〜５０５と同様であるため、詳細な説明は省略する。
【００３４】
受信ボックスが満杯であり（ステップ７０２でイエス(Yes)）、かつ、削除可能なメールが存在しなかった場合（ステップ７１０でイエス(Yes)）には、メールの受信が保留される（ステップ７１０）。その一方、削除可能なメールが存在した場合には、検索メールが押出し削除され、メールが受信ボックスにストアされる（ステップ７０７）。すべてのメールについて処理が終了すれば（ステップ７０８でイエス(Yes)）、制御部２２は、受信メールがあったことを示す「メール新着マーク」をメイン表示部１３やサブ表示部１６に付加する（ステップ７０９）。
【００３５】
これに対して、メールフラグ「MAIL F」が「１」であった場合には、ユーザが受信ボックスの内容等を閲覧している可能性があるため、可能であればメールを、テンポラリエリアにストアすべく処理が進められる。テンポラリエリアが満杯であれば（ステップ７１１でイエス(Yes)）、メールの受信が保留される（ステップ７１０）。テンポラリエリアが満杯でなければ（ステップ７１１でノー(No)）、制御部２２は、受信したメールをテンポラリエリアにストアする（ステップ７１３）。すべてのメールについて処理が終了した場合には（ステップ７１３）、ステップ７０９に進み、「メール新着マーク」がメイン表示部１３やサブ表示部１６に付加される。
【００３６】
次に、図６のステップ６０３の受信ボックス処理をより詳細に説明する。なお、図６において、受信ボックス処理（ステップ６０３）に先立って、メールフラグ「MAIL F」を「１」にセットし、かつ、受信ボックス処理の後に、メールフラグ「MAIL F」を「０」にリセットしている（ステップ６０２、６０４参照）。このように受信ボックス処理の前後にセットおよびリセットの場合には、以下の図８および図９に示すような、メールフラグのセットおよびリセットは不要である。つまり、以下に説明する受信ボックス処理では、メールフラグのセットおよびリセットのタイミングをより細かく設定している。
【００３７】
受信ボックス処理において、制御部２２は、まず、受信ボックス中のメールのリストを、メイン表示部１３の画面に表示する（ステップ８０１）。ここでは、リスト中、先頭のメールがフォーカスされる（ステップ８０２）。カーソルスイッチがオンされると、フォーカス位置が移動する（ステップ８０３、８０４）。「ＯＫ」スイッチがオンされると（ステップ８０５でイエス(Yes)）、制御部２２は、受信ボックスから、フォーカス位置に対応するメールを読み出し、その内容を、メイン表示部１３の画面に表示する（ステップ８０６）。未開封メールがなくなった場合には（ステップ８０７でイエス(Yes)）、制御部２２は、メイン表示部１３あるいはサブ表示部１６の「メール新着マーク」を消去する（ステップ８０８）。
【００３８】
また、メールの保護フラグがオフの状態で、かつ、削除条件に合致している場合（ステップ８０９およびステップ８１０でイエス(Yes)）には、メールフラグ「MAIL F」を「１」にセットし、「クリア」スイッチがオンされるまで、その状態が保持される（ステップ８１２、８１３）。これにより、たとえば、図７に示す処理において、削除対象のメールが検索されたときに、ユーザが閲覧しているメールが押し出し削除されることを防止できる。
【００３９】
ステップ８０５において「ＯＫ」スイッチがオンされず（ステップ８０５でノー(No)）、かつ、「クリア」スイッチがオンされた場合には、処理が終了する。その一方、図９に示すように、「削除」スイッチがオンされていた場合には（ステップ９０１でイエス(Yes)）、制御部２２は、メールフラグ「MAIL
F」を「１」にセットする（ステップ９０２）。ユーザにより削除メールが選択され（ステップ９０３）、次いで、「ＯＫ」スイッチがオンされると（ステップ９０４でイエス(Yes)）、選択されたメールが削除される（ステップ９０５）。また、「クリア」スイッチがオンされると（ステップ９０６）、メールフラグ「MAIL
F」が「０」にリセットされ（ステップ９０７）、受信ボックス処理の先頭（ステップ８０１）に戻る。
【００４０】
「保護」スイッチまたは「解除」スイッチがオンされた場合には（ステップ９０８でイエス(Yes)）、メールフラグ「MAIL F」が「１」にセットされる（ステップ９０９）。次いで、ユーザによりメールが選択され（ステップ９１０）、「保護」スイッチがオンされた場合には（ステップ９１１でイエス(Yes)）、受信ボックス中、選択されたメールの保護フラグがオンされる（ステップ９１２）。これに対して、「解除」スイッチがオンされた場合には（ステップ９１３でイエス(Yes)）、受信ボックス中、選択されたメールの保護フラグがオフされる（ステップ９１４）。最終的に「クリア」スイッチがオンされると（ステップ９１５でイエス(Yes)）、メールフラグ「MAIL
F」がリセットされて（ステップ９１６）、ステップ８０１に戻る。なお、他のスイッチがオンされた場合（ステップ９０８でノー(No)）には、オンされたスイッチに応じた他の処理が実行される（ステップ９１７）。このように、図８および図９に示す例では、メールの削除、保護フラグのオン／オフ、メールの閲覧などの場合に、メールフラグ「MAIL
F」を「１」に設定して、受信ボックスにおけるＦＩＦＯを利用したメールの押し出し削除を防止している。
【００４１】
次に、図１０を参照して、着信検知処理について説明する。他の電話機からの着信が検知されると、制御部２２は着信を報知させるべく必要な処理を実行する（ステップ１００１）。ユーザによりオフフック操作があると（ステップ１００２でイエス(Yes)）、通話処理が実行され、オンフック操作（ステップ１００４）により、終話処理が実行される（ステップ１００５）。
【００４２】
このような処理が実行される携帯電話機においては、メールをユーザが閲覧していた場合、メールの保護や保護の解除をユーザが設定していた場合、さらに、ユーザがメールを削除している場合に、メールフラグ「MAIL F」を「１」にセットしておくため、メールを着信検知したときに、テンポラリエリアにメールを一時的に記憶すべく処理が実行される（図７のステップ７０１、７１１〜７１３）参照。このようにテンポラリエリアに一時的に記憶されたメールは、ユーザによりメールスイッチがオンされたときに（図４参照）、テンポラリエリアから受信ボックス中に移動される（図５のステップ５０６参照）。これにより、ユーザがメールに関する操作中に、メールを受信した場合の排他制御を実現し、矛盾が発生することを防止することが可能となる。
【００４３】
本発明は、上記実施の形態に限定されることなく、特許請求の範囲に記載された発明の範囲内で、種々の変更が可能であり、それらも本発明の範囲内に包含されるものであることは言うまでもない。
【００４４】
たとえば、前記実施の形態においては、受信ボックス処理の前後でメールフラグ「MAIL F」をセット／リセットし、或いは、ユーザによる閲覧、削除、保護フラグの設定／解除の前後でメールフラグ「MAIL F」をセット／リセットしている。メールフラグのセット／リセットのタイミングはこれに限定されるものではない。基本的には、ユーザの操作に応じた処理中に、メールが受信される場合に矛盾が生じる可能性があるような場合、その処理の前後で、メールフラグのセット／リセットを行えばよい。
【図面の簡単な説明】
【００４５】
【図１】図１（ａ）、（ｂ）は、本実施の形態にかかる携帯電話機の外観図（開いた状態の正面図および背面図）である。
【図２】図２は、本実施の形態にかかる携帯電話機の構成を示すブロックダイヤグラムである。
【図３】図３は、本実施の形態にかかる携帯電話機にて実行される処理を示すフローチャートである。
【図４】図４は、本実施の形態にかかる携帯電話機にて実行される処理を示すフローチャートである。
【図５】図５は、本実施の形態にかかる携帯電話機にて実行される処理を示すフローチャートである。
【図６】図６は、本実施の形態にかかる携帯電話機にて実行される処理を示すフローチャートである。
【図７】図７は、本実施の形態にかかる携帯電話機にて、メール着信検知の際に実行される処理を示すフローチャートである。
【図８】図８は、本実施の形態にかかる携帯電話機における受信ボックス処理をより詳細に示すフローチャートである。
【図９】図９は、本実施の形態にかかる携帯電話機における受信ボックス処理をより詳細に示すフローチャートである。
【図１０】図１０は、本実施の形態にかかる携帯電話機にて、着信検知の際に実行される処理を示すフローチャートである。
【符号の説明】
【００４６】
１      携帯電話機
１３    メイン表示部
１４    キー操作部
１６    サブ表示部
１７    ＬＥＤ
２２    制御部
２４    ＲＯＭ（Ｆｌａｓｈ  ＲＯＭ）
２８    システムＲＯＭ
２９    ＲＡＭ
【図１】
2005099896.tif 000003
【図２】
2005099896.tif 000004
【図３】
2005099896.tif 000005
【図４】
2005099896.tif 000006
【図５】
2005099896.tif 000007
【図６】
2005099896.tif 000008
【図７】
2005099896.tif 000009
【図８】
2005099896.tif 000010
【図９】
2005099896.tif 000011
【図１０】
2005099896.tif 000012